(57)【要約】  【課題】夾雑物を土中に適切に埋め込むことができる農作業機を提供する。  【解決手段】農作業機１は、機体２と、この機体２に回転可能に設けた回転軸体11とを備える。回転軸体11のホルダ部13には、複数本の耕耘爪21を取り付ける。耕耘爪21は、回転方向に沿った平面状の基板部31を有する。基板部31の回転方向後縁側から突出板部32が側方に向って突出する。基板部31の先端側から基板延長部35が回転中心軸線Ｘから離れる方向に向って突出する。基板延長部35の回転中心軸線から最も離れた外端の描く円軌跡の半径が突出板部32の回転中心軸線から最も離れた外端が描く円軌跡の半径より大きい。  【選択図】図１
2006320253.tif 000002
【特許請求の範囲】
【請求項１】
回転軸体に取り付けられ、この回転軸体とともに回転する耕耘爪であって、
前記回転軸体に取り付けられ、回転方向に沿った平面状の基板部と、
この基板部の回転方向後縁側に側方に向って突出状に設けられた突出板部と、
前記基板部の先端側に前記回転軸体の回転中心軸線から離れる方向に向って突出状に設けられ、前記回転中心軸線から最も離れた外端の描く円軌跡の半径が前記突出板部の前記回転中心軸線から最も離れた外端が描く円軌跡の半径より大きい基板延長部と
を備えることを特徴とする耕耘爪。
【請求項２】
基板延長部は、側面視略三角形状に形成されている
ことを特徴とする請求項１記載の耕耘爪。
【請求項３】
回転軸体と、
この回転軸体に取り付けられた複数の請求項１または２記載の耕耘爪と
を備えることを特徴とする農作業機。
【発明の詳細な説明】
【技術分野】
【０００１】
本発明は、夾雑物を土中に適切に埋め込むことができる耕耘爪および農作業機に関するものである。
【背景技術】
【０００２】
従来、例えば代掻装置等の農作業機に用いられる耕耘爪（代掻爪）は、耕耘軸等の回転軸体に取り付けられ回転方向に沿った平面状の基板部（縦刃部）と、この基板部の回転方向後縁側から側方に向って突出し土を叩く突出板部（横刃部）とを備えている。そして、突出板部における回転軸体の回転中心軸線から最も離れた外端が描く円軌跡の半径が、基板部における回転軸体の回転中心軸線から最も離れた外端が描く円軌跡の半径より大きい構成となっている（例えば、特許文献１参照）。
【特許文献１】特開平８−６６１０２号公報（図１等）
【発明の開示】
【発明が解決しようとする課題】
【０００３】
しかしながら、上記従来の耕耘爪のように、突出板部の外端が描く円軌跡の半径が基板部の外端が描く円軌跡の半径より大きい構成では、稲わら等の夾雑物の埋め込み性能が不十分となるおそれがある。
【０００４】
本発明は、このような点に鑑みなされたもので、稲わら等の夾雑物の埋め込み性能が良好で、夾雑物を土中に適切に埋め込むことができる耕耘爪および農作業機を提供することを目的とする。
【課題を解決するための手段】
【０００５】
請求項１記載の耕耘爪は、回転軸体に取り付けられ、この回転軸体とともに回転する耕耘爪であって、前記回転軸体に取り付けられ、回転方向に沿った平面状の基板部と、この基板部の回転方向後縁側に側方に向って突出状に設けられた突出板部と、前記基板部の先端側に前記回転軸体の回転中心軸線から離れる方向に向って突出状に設けられ、前記回転中心軸線から最も離れた外端の描く円軌跡の半径が前記突出板部の前記回転中心軸線から最も離れた外端が描く円軌跡の半径より大きい基板延長部とを備えるものである。
【０００６】
請求項２記載の耕耘爪は、請求項１記載の耕耘爪において、基板延長部は、側面視略三角形状に形成されているものである。
【０００７】
請求項３記載の農作業機は、回転軸体と、この回転軸体に取り付けられた複数の請求項１または２記載の耕耘爪とを備えるものである。
【発明の効果】
【０００８】
請求項１に係る発明によれば、基板部の先端側に回転軸体の回転中心軸線から離れる方向に向って突出状に設けられ回転中心軸線から最も離れた外端の描く円軌跡の半径が突出板部の回転中心軸線から最も離れた外端が描く円軌跡の半径より大きい基板延長部を備えるため、稲わら等の夾雑物の埋め込み性能が良好で、夾雑物を土中に適切に埋め込むことができる。
【０００９】
請求項２に係る発明によれば、基板延長部が側面視略三角形状に形成されているため、その側面視略三角形状の基板延長部にて夾雑物を土中により一層適切に埋め込むことができる。
【００１０】
請求項３に係る発明によれば、基板延長部を備えた複数の耕耘爪を用いることで、耕耘作業と夾雑物の埋め込み作業との両方の作業を適切に行うことができる。
【発明を実施するための最良の形態】
【００１１】
本発明の一実施の形態を図面を参照して説明する。
【００１２】
図１において、１は農作業機で、この農作業機１は、走行車であるトラクタ（図示せず）の後部に連結された状態で、トラクタの走行により水田等の圃場を進行方向前方に移動しながら代掻き作業をする代掻装置等である。
【００１３】
農作業機１は、トラクタの後部の３点リンクに連結される機体２を備えている。機体２には、トラクタ側からの動力を入力する入力軸３が回転可能に設けられている。入力軸３には、トラクタのＰＴＯ軸がユニバーサルジョイントおよび伝動シャフト等を介して連結される。
【００１４】
また、機体２は、左右両側にチェーンケース部５およびブラケット部（図示せず）を有している。チェーンケース部５の下部とブラケット部の下部との間には、軸方向が左右水平方向に一致した耕耘軸等の回転軸体11が回転可能に設けられている。この機体２に回転可能に支持された水平状の回転軸体11は、入力軸３側からの動力を受けて左右水平方向の回転中心軸線（軸芯を通る線）Ｘを中心として所定方向（図示矢印方向）に回転する。
【００１５】
回転軸体11は、図１ないし図３に示されるように、断面円形の軸本体部12を有し、この軸本体部12の外周面部における軸方向に等間隔をおいた位置には、複数のホルダ部13が周方向に等間隔をもって設けられている。そして、回転軸体11の複数のホルダ部13の各々には、回転軸体11とともに所定方向（ダウンカットの回転方向）に回転しながら、耕耘作業および稲わら等の夾雑物の埋め込み作業をする耕耘爪（代掻爪）21が着脱可能に取り付けられている。
【００１６】
ここで、耕耘爪21は、回転軸体11のホルダ部13に基端側が取付具（例えばボルトおよびナット）23にて着脱可能に取り付けられ板厚方向が回転軸体11の軸方向に一致し回転方向に沿った平面状で湾曲状の基板部（縦刃部）31を有している。
【００１７】
また、各耕耘爪21は、基板部31の回転方向後縁側に回転方向に対して側方に向って突出状に一体に設けられ、土を叩く略台形板状の突出板部（横刃部）32を有している。すなわち例えば基板部31の回転方向後縁側の部分が、折曲線33に沿って鋭角的に折り曲げられて突出板部32となっている。
【００１８】
さらに、各耕耘爪21は、基板部31の先端側に回転軸体11の回転中心軸線Ｘから離れる方向（回転軸体11の径方向外方）に向って突出状に一体に設けられ、回転中心軸線Ｘから最も離れた外端35aの描く円軌跡の半径Ａが突出板部32の回転中心軸線Ｘから最も離れた外端32aが描く円軌跡の半径Ｂより大きく、稲わら等の夾雑物を圃場の土中に埋め込む埋込用の基板延長部35を有している。すなわち例えば平面状の基板部31の先端側の延長部分にて側面視略三角形状の基板延長部35が構成され、この基板延長部35の外端35aが描く円軌跡の半径Ａが突出板部32の外端32aが描く円軌跡の半径Ｂより大きくなっている。基板延長部35の回転方向前縁35bは基板部31の回転方向前端に連続した曲線状に形成され、基板延長部35の回転方向後縁35cは突出板部32における回転軸体11側とは反対側の縁に連続した直線状に形成されている。なお、回転軸体11および耕耘爪21にて耕耘手段40が構成されている。
【００１９】
また一方、図１に示されるように、機体２は、耕耘手段40の上方部を覆う湾曲板状のカバー部41を有している。カバー部41の後端部には、耕耘手段40の後方で整地作業をする整地手段42が設けられている。整地手段42は、カバー部41の後端部にゴム板43を介して取り付けられた第１整地体（均平板）44を有している。第１整地体44の下端部には第２整地体（レーキ）45の前端部が回転可能に取り付けられている。そして、機体２と第１整地体44とが第１連結手段46にて連結され、機体２と第２整地体45とが第２連結手段47にて連結されている。
【００２０】
次に、上記農作業機１の作用等を説明する。
【００２１】
農作業機１をトラクタの後部に連結し、農作業機１をトラクタの走行により圃場上を移動させると、耕耘手段40の回転軸体11とともに回転する複数本の耕耘爪21によって耕耘作業と稲わら等の夾雑物の埋め込み作業とが行われ、耕耘手段40の後方位置では第１整地体44および第２整地体45によって整地作業が行なわれる。この際、主として、耕耘爪21の突出板部32が圃場の土を叩いて砕土し、耕耘爪21の基板延長部35が稲わら等の夾雑物を圃場の土中に埋め込む。
【００２２】
このように農作業機１によれば、基板部31の先端側から回転軸体11の回転中心軸線Ｘから離れる方向に向って突出し、回転中心軸線Ｘから最も離れた外端35aの描く円軌跡の半径Ａが突出板部32の回転中心軸線Ｘから最も離れた外端32aが描く円軌跡の半径Ｂより大きく、稲わら等の夾雑物を土中に埋め込む基板延長部35を備えるため、従来の農作業機に比べて稲わら等の夾雑物の埋め込み性能が良好で、夾雑物を土中に適切に埋め込むことができる。
【００２３】
なお、回転軸体11に取り付ける耕耘爪21の数は任意であり、また基板延長部35の形状は、外端35aの描く円軌跡の半径Ａが突出板部32の外端32aが描く円軌跡の半径Ｂより大きければ、側面視略三角形状以外でもよい。
【図面の簡単な説明】
【００２４】
【図１】本発明の農作業機の一実施の形態の側面図である。
【図２】同上農作業機の耕耘手段の平面図である。
【図３】同上耕耘手段の側面図である。
【符号の説明】
【００２５】
１    農作業機
11    回転軸体
21    耕耘爪
31    基板部
32    突出板部
32a   突出板部の外端
35    基板延長部
35a   基板延長部の外端
Ｘ    回転中心軸線
【図１】
2006320253.tif 000003
【図２】
2006320253.tif 000004
【図３】
2006320253.tif 000005